(57)【要約】【課題】安全、且つ、容易に蓋部とケース本体との導通を図ることが可能な電子機器収納箱を提供する。【解決手段】開口１ａを有して中空箱型に形成されて塗装が施された金属製のケース本体１と、電子機器が取り付けられ、蝶番３によって開口１ａに回動自在に覆設される塗装が施された金属製の蓋部２とを備え、蝶番３は、ケース本体１に形成される第一の軸筒３１ａと、蓋部２に形成される第二の軸筒３２ａと、各軸筒３１ａ、３２ａを挿通して軸支するピン３３と、各軸筒３１ａ、３２ａ間においてピン３３に装着され、一面は第一の軸筒３１ａの端部に対向して当該端部を弾性付勢する第一の当接部３４１ｃが設けられ、他面は第二の軸筒３２ａの端部に対向して当該端部を弾性付勢する第二の当接部３４２ｃが設けられる。【選択図】図１
2011071429.tif 000002
【特許請求の範囲】
【請求項１】
一面が開口した中空箱型に形成されて電子機器を収納し、少なくとも表面に塗装が施された金属製のケース本体と、
電子機器が取り付けられ、蝶番構造によってケース本体に連結されて、ケース本体の開口に回動自在に覆設される、少なくとも表面に塗装が施された金属製の蓋部とを備え、
前記蝶番構造は、ケース本体に形成される第一の軸筒と、蓋部に形成される第二の軸筒と、第一、第二の軸筒を挿通して、第一、第二の軸筒を軸支するピンと、第一、第二の軸筒間においてピンに装着され、一面が第一の軸筒の端部に対向して他面が第二の軸筒の端部に対向する金属製の抜け止め部材とで構成され、
前記抜け止め部材は、一面に第一の軸筒の端部を軸方向へ弾性付勢する第一の当接片が設けられ、他面に第二の軸筒の端部を軸方向へ弾性付勢する第二の当接片が設けられることを特徴とする電子機器収納箱。
【請求項２】
前記抜け止め部材は、第一の当接片において第一の軸筒に当接する第一の尖鋭部が設けられ、第二の当接片において第二の軸筒に当接する第二の尖鋭部が設けられることを特徴とする請求項１記載の電子機器収納箱。
【請求項３】
前記抜け止め部材は、略平板状に形成され、一端にはピンに嵌め込まれる切り欠き部が形成されて、他端には周縁部に沿って折曲部が形成されることを特徴とする請求項１または２記載の電子機器収納箱。
【発明の詳細な説明】
【技術分野】
【０００１】
本発明は、電子機器収納箱に関するものである。
【背景技術】
【０００２】
従来から用いられている電子機器収納箱として、一面が開口した金属製のケース本体と、蝶番によってケース本体の開口に回動自在に覆設される金属製の蓋部と、ケース本体内に収納される操作可能なブレーカ等の電子機器とを備えた分電盤がある（例えば特許文献１参照）。
【０００３】
そして、従来は、ケース本体のみをアース接続し、ケース本体に収納された電子機器はケース本体の金属部分にアース接続されていた。
【０００４】
また、近年、蓋部にも表示器等の電子機器を取り付けたいという要望があり、その場合には、蓋部に設けられた電子部品を蓋部の金属部分に導通させ、更にリード線を介して当該蓋部の金属部分とケース本体の金属部分とを接続することで、蓋部に取り付けられた電子部品のアース接続を行っていた。
【先行技術文献】
【特許文献】
【０００５】
【特許文献１】実開平３−１０６８０４号公報
【発明の概要】
【発明が解決しようとする課題】
【０００６】
しかしながら、リード線が別途設けられることで、蓋部を開けた際にリード線が露出して見栄えが悪くなる、若しくは、蓋部を開閉する際にリード線をケース本体と蓋部との間に挟みこんでしまう虞がある等の問題があった。
【０００７】
本発明は、上記事由に鑑みてなされたものであり、その目的は、安全、且つ、容易に蓋部とケース本体との導通を図ることが可能な電子機器収納箱を提供することにある。
【課題を解決するための手段】
【０００８】
請求項１の発明は、一面が開口した中空箱型に形成されて電子機器を収納し、少なくとも表面に塗装が施された金属製のケース本体と、電子機器が取り付けられ、蝶番構造によってケース本体に連結されて、ケース本体の開口に回動自在に覆設される、少なくとも表面に塗装が施された金属製の蓋部とを備え、前記蝶番構造は、ケース本体に形成される第一の軸筒と、蓋部に形成される第二の軸筒と、第一、第二の軸筒を挿通して、第一、第二の軸筒を軸支するピンと、第一、第二の軸筒間においてピンに装着され、一面が第一の軸筒の端部に対向して他面が第二の軸筒の端部に対向する金属製の抜け止め部材とで構成され、前記抜け止め部材は、一面に第一の軸筒の端部を軸方向へ弾性付勢する第一の当接片が設けられ、他面に第二の軸筒の端部を軸方向へ弾性付勢する第二の当接片が設けられることを特徴とする。
【０００９】
この発明によれば、ピンに抜け止め部材を装着するだけで、安全、且つ、容易に蓋部とケース本体との導通を図ることができる。
【００１０】
請求項２の発明は、請求項１記載の発明において、前記抜け止め部材は、第一の当接片において第一の軸筒に当接する第一の尖鋭部が設けられ、第二の当接片に第二の軸筒に当接する第二の尖鋭部が設けられることを特徴とする。
【００１１】
この発明によれば、第一の軸筒の端部、及び第二の軸筒の端部のそれぞれに塗装が施されている場合であっても、抜け止めピンの組み付け時、または、蓋部の開閉時に、第一、第二の尖鋭部がそれぞれ第一、第二の軸筒の端部における塗装を剥離して当該各端部に当接することで、ケース本体と蓋部との間の導通を図ることができる。
【００１２】
請求項３の発明は、請求項１または２記載の発明において、前記抜け止め部材は、略平板状に形成され、一端にはピンに嵌め込まれる切り欠き部が形成されて、他端には周縁部に沿って折曲部が形成されることを特徴とする。
【００１３】
この発明によれば、折曲部が形成されることにより、抜け止め部材の強度が高まり、更には、抜け止め部材を脱着する際における指のかかりがよくなって、作業性が向上する。
【発明の効果】
【００１４】
以上説明したように、本発明では、安全、且つ、容易に蓋部とケース本体との導通を図ることができるという効果がある。
【図面の簡単な説明】
【００１５】
【図１】本発明の実施形態における電子機器収納箱の一部破断した正面図を示す。
【図２】同上における電子機器収納箱の要部拡大図を示す。
【図３】同上における電子機器収納箱の要部断面図を示す。
【図４】同上における電子機器収納箱が備える抜け止め部材の斜視図を示す。
【図５】同上における電子機器収納箱が備える抜け止め部材の三面図を示す。
【発明を実施するための形態】
【００１６】
以下、本発明の実施の形態を図面に基づいて説明する。
【００１７】
（実施形態）
本発明の電子機器収納箱は、図１〜３に示すように、前面が開口したケース本体１と、蝶番構造によってケース本体１と連結されて、ケース本体１の開口１ａに回動自在に覆設する蓋部２と、前記蝶番構造を形成する蝶番３とを備えている。なお、以下、図２における上下左右を基準とし、上下左右方向と直交する方向を前後方向とする。
【００１８】
ケース本体１は、金属材料から前面に略矩形状の開口１ａを有した中空箱型に形成され、表面には塗装が施されている。
【００１９】
蓋部２は、金属材料から略矩形平板状に形成されて、その表面に塗装が施されている。
【００２０】
蝶番３は、開口１ａ周縁の下端部より前方へ延設された後に先端が下方へ折曲された断面略Ｌ字状の蝶番金具取り付け部１１に固定される第一の蝶番金具３１と、蓋部２の後面の下端側に固定され、第一の蝶番金具３１の第一の軸筒３１ａと略同軸となる位置に配設される第二の軸筒３２ａを有する第二の蝶番金具３２と、第一、第二の軸筒３１ａ、３２ａを挿通すると共に軸支する金属製のピン３３と、第一、第二の軸筒３１ａ、３２ａ間においてピン３３に嵌め込まれる抜け止め部材３４とを備えている。
【００２１】
第一の蝶番金具３１は、取り付け部１１に溶接によって固定され、ケース本体１と導通している。
【００２２】
また、第二の蝶番金具３２は一対の第二の軸筒３２ａが形成されており、当該一対の第二の軸筒３２ａ間は、第一の軸筒３１ａ及び抜け止め部材３４が挿入可能な程度の間隔に設定されている。そして、第二の蝶番金具３２は、蓋部２に溶接によって固定され、蓋部２と導通している。
【００２３】
なお本実施形態では、ケース本体１及び蓋部２に塗装が施された際に、第一、第二の軸筒３１ａ、３２ａの端部においても塗装が施されるものとする。ここで、各軸筒３１ａ、３２ａの端部とは、当該各軸筒３１ａ、３２ａにおける軸方向の各端部において、ピン３３が挿通する挿通孔の周縁（略円環状の面）を云う。
【００２４】
ピン３３は、所謂頭付ピンであり、ピン部３３１と、ピン部３３１の一端に形成さる頭部３３２とからなる。そして、ピン３３が第一、第二の軸筒３１ａ、３２ａを挿通して頭部３３２が第二の軸筒３２ａの端部に当接した際に、ピン部３３１の外周面の内で第一、第二の軸筒３１ａ、３２ａ間から露出する箇所には、円周方向に溝部３３１ａが形成されている。
【００２５】
抜け止め部材３４は、図４、５に示すように、金属材料から略平板状に形成され、一端側に設けられる切り欠き３４ａにより、基部３４０と当該基部３４０の両端から互いに略平行に形成される嵌合片３４１，３４２とから略Ｕ字状に形成される。そして、切り欠き３４ａを介して対向する嵌合片３４１，３４２の各側縁３４１ａ、３４２ａは、先端側にピン３３の溝部３３１ａに嵌合する略円弧状の嵌合部３４１ｂ、３４２ｂがそれぞれ形成される。また、各側縁３４１ａ、３４２ａの基部３４０側には、第一の軸筒３１ａの端部、及び第二の軸筒３２ａの端部にそれぞれ当接する当接部３４１ｃ、３４２ｃがそれぞれ形成される。
【００２６】
当接部３４１ｃ、３４２ｃは、それぞればね性を有して先端縁が尖鋭に形成され、当該先端が第一の軸筒３１ａの端部、第二の軸筒３２ａの端部にそれぞれ当接する。つまり、当接部３４１ｃと当接部３４２ｃとは、抜け止め部材３４の厚み方向（各軸筒の軸方向）において互いに異なる方向へ折曲されて突出する。なお、本実施形態では、当接部３４１ｃが第一の軸筒３１ａの端部に当接し、当接部３４２ｃが第二の軸筒３２ａの端部に当接しているが、当接部３４１ｃが第二の軸筒３２ａの端部に当接し、当接片３４２ｃが第一の軸筒３１ａの端部に当接してもよい。また、当接部３４１ｃ、３４２ｃの形状は、例えば鋸刃状等であってもよい。
【００２７】
そして、ピン３３に抜け止め部材３４が嵌め込まれる際には、当接部３４１ｃが、第一の軸筒３１ａにおける端部の塗装を削剥して当該第一の軸筒３１ａの金属部分に当接し、当接部３４２ｃが第二の軸筒３２ａにおける端部の塗装を削剥して当該第二の軸筒３２ａの金属部分に当接する。
【００２８】
また、嵌合部３４１ｂ、３４２ｂが、ピン３３の溝部３３１ａに嵌まり込むことで、抜け止め部材３４がピン３３を狭持固定し、ピン３３に対して抜け止め部材３４が軸方向へ移動しない。従って、ピン３３が軸方向へ移動しようとした場合には、抜け止め部材３４が第一の軸筒３１ａの端部、または、第二の軸筒３２ａの端部のいずれか一方に当接することで、ピン３３の軸方向への移動が規制され、各軸筒３１ａ、３２ａに対してピン３３の抜け止めがなされる。
【００２９】
上記に示した通り本実施形態の電子機器収納箱では、ピン３３の抜け止め部材３４が、第一の軸筒３１ａ、及び第二の軸筒３２ａの金属部分に当接することで、蓋部２→第二の軸筒３２ａ→抜け止め部材３４→第一の軸筒３１ａ→ケース本体１の経路で蓋部２とケース本体１との導通を図ることができる。
【００３０】
このように、本実施形態の電子機器収納箱は、ケース本体１と蓋部２との間に、例えばリード線等の部品を挟み込む虞が無く、ピン３３に抜け止め部材３４を装着するのみで、安全、且つ、容易にケース本体１と蓋部２との導通を図ることができる。
【００３１】
また、抜け止め部材３４の基部３４０側周縁は、抜け止め部材３４の厚み方向のいずれか一方側へ折曲されて折曲部３４ｂが形成されている。そのため、抜け止め部材をピン３３に対して脱着する際に、作業者の指が折曲部３４ｂにかかり易くなって抜け止め部材３４の脱着をスムーズに行うことができ、組み立て時、または、メンテナンス時の作業効率が向上する。また、折り曲げ部３４ｂが形成されることで、抜け止め部材３４の強度が向上する。
【符号の説明】
【００３２】
１  ケース本体
１ａ  開口
２  蓋部
３  蝶番
３１  第一の蝶番金具
３１ａ  第一の軸筒
３２  第二の蝶番金具
３２ａ  第二の軸筒
３３  ピン
３４  抜け止め部材
３４１ｃ  当接部（第一の尖鋭部）
３４２ｃ  当接部（第二の尖鋭部）
【図１】
2011071429.tif 000003
【図２】
2011071429.tif 000004
【図３】
2011071429.tif 000005
【図４】
2011071429.tif 000006
【図５】
2011071429.tif 000007